(57)【要約】【課題】利便性または信頼性に優れた新規な表示パネルを提供する。または、利便性または信頼性に優れた新規な情報処理装置を提供する。または、利便性または信頼性に優れた新規なヒューマンインターフェイスを提供する。【解決手段】第１の領域、第１の屈曲できる領域および第２の領域が配置され、第１の屈曲できる領域に形成される畳み目で折り畳むことができ、第１の領域、第１の屈曲できる領域および第２の領域は、それらを通して背景物を視認可能である表示領域を含んだ表示装置である。その他の実施形態も請求される。【選択図】図１
2015187724.tif 000002
【特許請求の範囲】
【請求項１】
第１の領域、第１の屈曲できる領域および第２の領域がこの順に配置され、前記第１の屈曲できる領域に形成される畳み目で折り畳まれた状態および展開された状態にすることができる表示領域を有し、
前記第１の領域、前記第１の屈曲できる領域および前記第２の領域は、それらを通して背景物を視認可能である、表示装置。
【請求項２】
第１の領域、第１の屈曲できる領域、第２の領域、第２の屈曲できる領域および第３の領域がこの順で配置され、前記第１の屈曲できる領域に形成される第１の畳み目および前記第２の屈曲できる領域に形成される第２の畳み目で折り畳まれた状態および展開された状態にすることができる表示領域を有し、
前記第１の領域、前記第１の屈曲できる領域、前記第２の領域、前記第２の屈曲できる領域および前記第３の領域は、それらを通して背景物を視認可能である表示装置。
【請求項３】
画像情報を供給され、検知情報を供給する入出力装置と、
前記画像情報を供給し、前記検知情報を供給される演算装置と、を有し、
前記入出力装置は、
前記画像情報を供給される表示部および前記検知情報を供給する検知部を備え、
前記表示部は、
第１の領域、第１の屈曲できる領域、第２の領域、第２の屈曲できる領域および第３の領域がこの順で配置された表示領域を有し、
前記第１の領域、前記第１の屈曲できる領域、前記第２の領域、前記第２の屈曲できる領域および前記第３の領域は、それらを通して背景物を視認可能であり、
前記第１の屈曲できる領域に形成される第１の畳み目および前記第２の屈曲できる領域に形成される第２の畳み目で折り畳まれた状態および展開された状態にすることができ、
前記検知部は、前記表示部が折り畳まれた状態かまたは展開された状態かを検知し、且つ検知された状態を示す情報を含む検知情報を供給し、
前記演算装置は、
前記検知情報が折り畳まれた状態を示す情報を含む場合に、前記第１の領域に収まる大きさの第１の画像を表示する画像情報を供給し、
前記検知情報が展開された状態を示す情報を含む場合に、前記表示部の表示領域に収まる大きさの前記第１の画像とおよそ相似する第２の画像を表示する画像情報を供給するように設定された
情報処理装置。
【請求項４】
画像情報を供給され、検知情報を供給する入出力装置と、
前記画像情報を供給し、前記検知情報を供給される演算装置と、を有し、
前記入出力装置は、
前記画像情報を供給される表示部、
前記検知情報を供給する検知部、を備え、
前記表示部は、
第１の領域、第１の屈曲できる領域および第２の領域がこの順で配置された表示領域を有し、
前記第１の領域、前記第１の屈曲できる領域および前記第２の領域は、それらを通して背景物を視認可能であり、
前記第１の屈曲できる領域に形成される第１の畳み目で折り畳まれた状態および展開された状態にすることができ、
前記検知部は、前記表示部が折り畳まれた状態かまたは展開された状態かを検知し、且つ検知された状態を示す情報を含む検知情報を供給し、
前記演算装置は、
前記検知情報が折り畳まれた状態を示す情報を含む場合に、前記第１の領域に収まる大きさの第１の画像を表示する画像情報を供給し、
前記検知情報が展開された状態を示す情報を含む場合に、前記表示部の表示領域に収まる大きさの前記第１の画像におよそ相似する第２の画像を表示する画像情報を供給するように設定された情報処理装置。
【請求項５】
前記第２の画像が、前記第１の画像より大きい、請求項３または４に記載の情報処理装置。
【請求項６】
前記第１の画像の縦または横のいずれか一方の長さが、前記第１の領域の短辺の長さまたは長辺の長さの０．９倍以上または
前記第２の画像の縦または横のいずれか一方の長さが、前記表示領域の短辺の長さまたは長辺の長さの０．９倍以上である、請求項３乃至請求項５のいずれか一に記載の情報処理装置。
【請求項７】
前記画像情報により、前記第１の画像または前記第２の画像を表示する領域の外側に第３の画像を表示する、請求項３乃至請求項６のいずれか一に記載の情報処理装置。
【請求項８】
前記検知部が、前記表示部の姿勢を検知し、且つ検知された姿勢を示す情報を含む検知情報を供給し、
前記演算装置が、前記検知情報に基づいて前記第１の画像または前記第２の画像の向きを決定し且つ決定された向きで配置された前記第１の画像または前記第２の画像を表示する画像情報を生成する、請求項３乃至請求項７のいずれか一に記載の情報処理装置。
【請求項９】
前記演算装置が、
演算部および前記演算部に実行させるプログラムを記憶する記憶部を備え、
前記プログラムは、
ステータス情報を含む初期情報を取得する第１のステップと、
割り込み処理を許可する第２のステップと、
所定の情報を取得する第３のステップと、
前記ステータス情報が第１のステータスである場合は第５のステップに進み、第２のステータスである場合は第６のステップに進む第４のステップと、
前記第３のステップで取得した情報に基づいて、前記第１の画像が前記第１の領域に収まるような画像情報を生成し、前記画像情報に応じた表示をおこなう第５のステップと、
前記第３のステップで取得した情報に基づいて、前記第２の画像が前記表示部の表示領域に収まるような画像情報を生成し、前記画像情報に応じた表示をおこなう第６のステップと、
終了命令を割り込み処理において供給された場合は第８のステップに進み、供給されなかった場合は前記第３のステップに進む第７のステップと、
終了する前記第８のステップと、を有し、
前記割り込み処理は、
前記表示部が折り畳まれた状態かまたは展開された状態かを示す情報を含む検知情報を取得する第９のステップと、
前記検知情報に基づいて候補情報を決定する第１０のステップと、
前記候補情報が前記ステータス情報と異なる場合は前記第９のステップに進み、同じである場合は第１２のステップに進む第１１のステップと、
前記ステータス情報を前記候補情報に更新する第１２のステップと、
前記割り込み処理から復帰する第１３のステップと、を有する、請求項３乃至請求項８のいずれか一に記載の情報処理装置。
【請求項１０】
前記第１の領域の短辺の長さの長辺の長さに対する比の値は、前記表示領域の短辺の長さの長辺の長さに対する比の値の０．９倍以上１．１倍以下であり、
前記第１の領域の短辺の長さ：長辺の長さはおよそ９：１６である、請求項１乃至請求項９のいずれか一に記載の情報処理装置。
【発明の詳細な説明】
【技術分野】
【０００１】
表示装置および情報処理装置に関する。
【背景技術】
【０００２】
携帯可能な情報処理装置が盛んに開発されている。
【先行技術文献】
【特許文献】
【０００３】
【特許文献１】特開２０１２−１９０７９４号公報
【発明の概要】
【発明が解決しようとする課題】
【０００４】
利便性または信頼性に優れた新規な表示装置、または、利便性または信頼性に優れた新規な情報処理装置、または、利便性または信頼性に優れた新規なヒューマンインターフェイス、または、新規な表示装置、または、新規な情報処理装置、または、明細書、図面、請求項などの記載から、自ずと明らかとなる物品や方法等が提供される。
【課題を解決するための手段】
【０００５】
第１の領域、第１の屈曲できる領域および第２の領域がこの順で配置され、第１の領域、第１の屈曲できる領域および第２の領域は、一時的あるいは恒常的に背景物を視認可能であり、第１の屈曲できる領域に形成される畳み目で折り畳まれた状態および展開された状態にすることができる表示領域を有する表示装置である。
【発明の効果】
【０００６】
利便性または信頼性に優れた新規な表示装置を提供できる。または、利便性または信頼性に優れた新規な情報処理装置を提供できる。または、利便性または信頼性に優れた新規なヒューマンインターフェイスを提供できる。または、新規な表示装置、新規な情報処理装置などを提供できる。なお、これらの効果の記載は、他の効果の存在を妨げるものではない。
【図面の簡単な説明】
【０００７】
【図１】表示パネルの構成例を説明する図。
【図２】表示パネルの構成例を説明する図。
【図３】表示パネルの表示例を説明する図。
【図４】情報処理装置の構成例を説明するブロック図。
【図５】プログラムを説明するフロー図の例。
【図６】プログラムを説明するフロー図の例。
【図７】情報処理装置の構成例を説明する投影図。
【図８】情報処理装置の構成例を説明する投影図。
【図９】情報処理装置に用いることができるタッチパネルの構成例を説明する図。
【図１０】情報処理装置に用いることができるタッチパネルの構成例を説明する図。
【図１１】情報処理装置に用いることができるタッチパネルの構成例を説明する図。
【図１２】情報処理装置に用いることができるタッチパネルの構成例を説明する図。
【図１３】情報処理装置を説明する６面図の例。
【図１４】情報処理装置を説明する６面図および断面図の例。
【発明を実施するための形態】
【０００８】
本明細書において、ＥＬ層とは発光素子の一対の電極間に設けられた層を示すものとする。従って、電極間に挟まれた発光物質である有機化合物を含む発光層はＥＬ層の一態様である。
【０００９】
なお、本明細書中において、例えばＦＰＣ（Ｆｌｅｘｉｂｌｅ  ｐｒｉｎｔｅｄ  ｃｉｒｃｕｉｔ）もしくはＴＣＰ（Ｔａｐｅ  Ｃａｒｒｉｅｒ  Ｐａｃｋａｇｅ）が取り付けられたモジュール、ＴＣＰの先にプリント配線板が設けられたモジュールまたは素子が形成された基板にＩＣ（集積回路）がＣＯＧ（Ｃｈｉｐ  Ｏｎ  Ｇｌａｓｓ）方式により直接実装されたモジュールは装置に含まれる。
【００１０】
また、本明細書中において、トランジスタの第１の電極または第２の電極の一方がソース電極を、他方がドレイン電極を指す。
【００１１】
実施の形態について、図面を用いて詳細に説明する。但し、実施の形態は以下の説明に限定されず、その趣旨及び範囲から逸脱することなくその詳細を様々に変更し得ることは当業者であれば容易に理解される。従って、実施の形態は以下の記載内容に限定して解釈されるものではない。なお、以下に説明する構成において、同一部分又は同様な機能を有する部分には同一の符号を異なる図面間で共通して用い、その繰り返しの説明は省略することがある。
【００１２】
（実施の形態１）
本実施の形態では、表示パネル（表示装置）の構成について、図１乃至図３を参照しながら説明する。
【００１３】
図１は表示パネルの構成を説明する図である。図１（Ａ）は表示パネル１３０Ｐを展開した状態を説明する図であり、図１（Ｂ）および図１（Ｃ）は図１（Ａ）に示す表示パネル１３０Ｐを折り畳んだ状態を説明する投影図である。
【００１４】
図２は図１に示すものとは表示領域の配置が異なる表示パネルの構成を説明する図である。図２（Ａ）は表示パネル１３０ＰＢを展開した状態を説明する図であり、図２（Ｂ）は図２（Ａ）に示す表示パネル１３０ＰＢを折り畳んだ状態を説明する投影図である。
【００１５】
図３は表示パネルに表示する画像を説明する図である。図３（Ａ）は表示領域に表示する第２の画像を説明する模式図であり、図３（Ｂ）は第１の領域に表示する第１の画像を説明する模式図である。また、図３（Ｃ）は第２の領域と第３の領域に表示する画像を説明する模式図である。
【００１６】
＜表示パネルの構成例＞
表示パネル１３０Ｐは、第１の領域１３１＿１１、第１の屈曲できる領域１３１＿２１および第２の領域１３１＿１２がこの順で配置された表示領域１３１を有する（図１（Ａ）参照）。第１の領域１３１＿１１、第１の屈曲できる領域１３１＿２１および第２の領域１３１＿１２は、いずれも、一時的あるいは恒常的に背景物を視認できる透過型表示をおこなうことができる。
【００１７】
透過型表示とは、くっきりと、あるいは、ぼやけて、常時、あるいは一時的に視認できる表示方式である。例えば、表示中は、表示装置の向こう側の風景がほとんど視認できないが、表示していないときには視認できるような表示方式を含む。透過型表示の例としては、例えば、有機エレクトロルミネッセンス表示装置における半透過型（シースルー）表示方法が挙げられる。
【００１８】
また、表示領域１３１は、第１の屈曲できる領域１３１＿２１に形成される畳み目で折り畳まれた状態および展開された状態にすることができる。折り畳まれた状態では、例えば、第１の領域１３１＿１１、第１の屈曲できる領域１３１＿２１および第２の領域１３１＿１２の全てあるいはいずれか一のみを、表示状態あるいは非表示状態としてもよい。例えば、第１の領域１３１＿１１と第２の領域１３１＿１２を表示状態として折り畳むことで、第１の領域１３１＿１１に表示されているものと、第２の領域１３１＿１２に表示されているものを重ねて表示することができる。
【００１９】
また、表示パネル１３０Ｐは、第１の領域１３１＿１１、第１の屈曲できる領域１３１＿２１、第２の領域１３１＿１２、第２の屈曲できる領域１３１＿２２および第３の領域１３１＿１３がこの順で配置され、第１の屈曲できる領域１３１＿２１に形成される第１の畳み目および第２の屈曲できる領域１３１＿２２に形成される第２の畳み目で折り畳まれた状態および展開された状態にすることができる表示領域１３１を有してもよい。
【００２０】
第１の領域１３１＿１１、第１の屈曲できる領域１３１＿２１および第２の領域１３１＿１２、第２の屈曲できる領域１３１＿２２および第３の領域１３１＿１３は、いずれも、一時的あるいは恒常的に背景物を視認できる。
【００２１】
本実施の形態で説明する表示パネル１３０Ｐは、第１の領域１３１＿１１、第１の屈曲できる領域１３１＿２１および第２の領域１３１＿１２がこの順に配置され、第１の屈曲できる領域１３１＿２１で第１の領域１３１＿１１の短辺の長さＡの長辺の長さＢに対する比の値（Ａ／Ｂ）が、表示領域１３１の短辺の長さＢの長辺の長さＣに対する比の値（Ｂ／Ｃ）の０．９倍以上１．１倍以下になるように折り畳むことができる表示領域１３１を含んで構成される（図３（Ａ）および図３（Ｂ）参照）。
【００２２】
これにより、折り畳まれた状態の表示領域の第１の領域に表示する画像と、縦の長さの横の長さに対する比の値がおよそ同じである画像を、展開された状態の表示領域に表示することができる。その結果、利便性または信頼性に優れた新規な表示パネルを提供することができる。
【００２３】
また、表示パネル１３０Ｐは、第１の走査線駆動回路１３３Ｇ＿Ｌ、第２の走査線駆動回路１３３Ｇ＿Ｒ、第１の信号線駆動回路１３３Ｓ＿Ｌおよび第２の信号線駆動回路１３３Ｓ＿Ｒを備えていてもよい。
【００２４】
また、表示パネル１３０Ｐは、フレキシブルプリント基板ＦＰＣ１３９と電気的に接続され、表示パネル外部から信号を受信してもよい。また、表示パネル１３０Ｐが、画像プロセッサやその他のプロセッサ、カメラ、マイク、スピーカー、接続端子、バッテリー、無線通信チップ、カードスロット、アンテナ、その他の素子や回路等を備えていてもよい。あるいは、表示パネル１３０Ｐが筐体と一体となり、筐体にそれらの素子や回路等を備えていてもよい。
【００２５】
例えば、第１の信号線駆動回路１３３Ｓ＿Ｌおよび第２の信号線駆動回路１３３Ｓ＿Ｒに重ねてプロセッサ、カメラ、マイク、スピーカー、接続端子、バッテリー、無線通信チップ、カードスロット、アンテナ、その他の素子や回路等が設けられてもよい。
【００２６】
以下に、表示パネル１３０Ｐを構成する個々の要素について説明する。なお、これらの構成は明確に分離できず、一つの構成が他の構成を兼ねる場合や他の構成の一部を含む場合がある。
【００２７】
例えばタッチセンサが表示パネルに重ねて設けられたタッチパネルは、表示部であるとともに、位置情報入力部でもある。
【００２８】
［全体の構成］
表示パネル１３０Ｐは、表示領域１３１を有する（図１（Ａ）参照）。
【００２９】
また、表示パネル１３０Ｐは、第１の走査線駆動回路１３３Ｇ＿Ｌ、第２の走査線駆動回路１３３Ｇ＿Ｒ、第１の信号線駆動回路１３３Ｓ＿Ｌおよび第２の信号線駆動回路１３３Ｓ＿Ｒを備えていてもよい。
【００３０】
［表示領域］
表示領域１３１は、画像情報を供給され、画像情報に応じた表示をおこなう。なお、簡略化のため、「画像情報に応じた表示をおこなう」ことを「画像情報を表示する」とも標記する。また、表示領域１３１は表示素子を備え、表示素子は対応する部分の画像を表示する。
【００３１】
表示領域１３１は、第１の領域１３１＿１１、第１の屈曲できる領域１３１＿２１、第２の領域１３１＿１２、第２の屈曲できる領域１３１＿２２および第３の領域１３１＿１３を有する。第１の領域１３１＿１１、第１の屈曲できる領域１３１＿２１および第２の領域１３１＿１２、第２の屈曲できる領域１３１＿２２および第３の領域１３１＿１３は、いずれも、一時的あるいは恒常的に背景物を視認できる。
【００３２】
第１の領域１３１＿１１は、短辺と長辺を有し、第１の領域１３１＿１１の長辺は、表示領域１３１の短辺とおよそ等しい。
【００３３】
第１の領域１３１＿１１の短辺の長さＡの長辺の長さＢに対する比の値（Ａ／Ｂは、表示領域１３１の短辺の長さＢの長辺の長さＣに対する比の値（Ｂ／Ｃ）の０．９倍以上１．１倍以下とするとよいが、これに限定されない。
【００３４】
第１の屈曲できる領域１３１＿２１および第２の屈曲できる領域１３１＿２２において、表示領域１３１を屈曲することができる。第１の屈曲できる領域１３１＿２１および第２の屈曲できる領域１３１＿２２は、透明で可撓性を備える２枚の基板との間に保持される表示素子を有する。
【００３５】
例えば、樹脂を、透明で可撓性を有する基板に用いることができる。具体的には、ポリエステル、ポリオレフィン、ポリアミド（ナイロン、アラミド等）、ポリイミド、ポリカーボネートまたはアクリル、ウレタン、エポキシもしくはシロキサン結合を有する樹脂などを含む材料を、透明で可撓性を有する基板に用いることができる。
【００３６】
第１の屈曲できる領域１３１＿２１に第１の畳み目および第２の屈曲できる領域１３１＿２２に第２の畳み目を形成して、表示領域１３１を折り畳むことができる（図１（Ｂ）および図１（Ｃ）参照）。言い換えると、第１の屈曲できる領域１３１＿２１の表示をすることができる面を山折りにして第１の畳み目を形成し、第２の屈曲できる領域１３１＿２２の表示をすることができる面を谷折りにして第２の畳み目を形成して、折り畳むことができる。
【００３７】
また、第１の屈曲できる領域１３１＿２１および第２の屈曲できる領域１３１＿２２は、繰り返し折り畳むことおよび展開することができる。例えば、第１の屈曲できる領域１３１＿２１または第２の屈曲できる領域１３１＿２２の表示をすることができる面に形成される畳み目に、画像を表示することができる。
【００３８】
画像を第１の領域１３１＿１１に表示できる状態で折り畳まれた表示パネル１３０Ｐを図１（Ｂ）に示し、画像を第３の領域１３１＿１３に表示できる状態で折り畳まれた表示パネルの状態を図１（Ｃ）に示す。
【００３９】
なお、表示パネルは、表示領域が図１（Ａ）に示すように配置されるものに限られない。
【００４０】
例えば、表示パネル１３０ＰＢのようにフレキシブルプリント基板ＦＰＣ１３９が配置される側に、第１の領域１３１＿１１が配置されてもよい（図２（Ａ）参照）。
【００４１】
第１の領域１３１＿１１に表示された画像を視認できる状態で折り畳まれた表示パネル１３０ＰＢを図２（Ｂ）に示す。
【００４２】
また、第１の領域１３１＿１１が、第２の領域１３１＿１２と第３の領域１３１＿１３の間に配置されるものであってもよい。
【００４３】
また、第１の領域１３１＿１１の短辺の長さＡ：長辺の長さＢはおよそ９：１６であると好ましい。短辺の長さＡ：長辺の長さＢをおよそ９：１６とすることで、表示領域１３１を無駄なく利用することができ、ワイドな画像を大きく表示することができる。
【００４４】
第１の領域１３１＿１１の短辺の長さＡの長辺の長さＢに対する比の値（Ａ／Ｂ）が表示領域１３１の短辺の長さＢの長辺の長さＣに対する比の値（Ｂ／Ｃ）の０．９倍以上１．１倍以下としてもよい。
【００４５】
具体的には、第１の領域１３１＿１１の短辺の長さＡ：長辺の長さＢを９：１６になるように、第１の屈曲できる領域１３１＿２１を配置する。また、表示領域１３１の短辺の長さＢ：長辺の長さＣを１６：２８．４（≒１６×１６÷９）にすることができる。なお、短辺の長さＡと長辺の長さＢの比率はこれに限らない。
【００４６】
これにより、縦の長さの横の長さに対する比の値が９／１６の第１の画像を第１の領域１３１＿１１に好適に表示することができる（図３（Ｂ）参照）。また、第１の画像におよそ相似な第２の画像を表示領域１３１に好適に表示することができる（図３（Ａ）参照）。なお、図３（Ｂ）に示す画像は図３（Ａ）に示す画像を縮小した画像ということができ、図３（Ａ）に示す画像は図３（Ｂ）に示す画像を拡大した画像ということができる。なお本明細書において、第１の画像の一の点と他の点を結ぶ第１のベクトルの成分の比に対する、第１の画像の一の点に対応する第２の画像の点と、第１の画像の他の点に対応する第２の画像の点を結ぶ第２のベクトルの成分の比が、０．７５以上１．２５以下、好ましくは０．９以上１．１以下である場合、第１の画像と第２の画像はおよそ相似するという。
【００４７】
また、フルハイビジョン放送の規格に適合する画像を表示することができるように、表示領域１３１の短辺方向に１０８０個、長辺方向に１９２０個の画素をマトリクス状に配置してもよい。
【００４８】
表示領域１３１は、表示素子を備える。例えば、表示素子をマトリクス状に表示領域１３１に配置してもよく、マトリクス状に配置した表示素子をパッシブマトリクス法またはアクティブマトリクス法を用いて駆動してもよい。
【００４９】
また、表示パネル１３０Ｐにタッチセンサを設けて、タッチパネルを構成することができる。具体的には、表示パネル１３０Ｐの表示がされる側にタッチセンサを重ねた構成であってもよいし、タッチセンサが表示パネル１３０Ｐと一体の構造を有していてもよい。言い換えると、オン・セル型のタッチパネルであってもイン・セル型のタッチパネルであってもよい。
【００５０】
なお、表示パネル１３０Ｐに適用可能な詳細な構成例を、実施の形態５、実施の形態６および実施の形態７に記載して説明する。
【００５１】
なお、本実施の形態は、本明細書で示す他の実施の形態と適宜組み合わせることができる。
【００５２】
（実施の形態２）
本実施の形態では、情報処理装置の構成について、図１および図４を参照しながら説明する。図４は情報処理装置の構成を説明するブロック図である。
【００５３】
情報処理装置１００は、画像情報Ｖが供給され且つ折り畳むことができる表示部１３０および表示部１３０が折り畳まれた状態か展開された状態かを検知して、検知した状態を示す情報を含む検知情報Ｓを供給する検知部１５０を備える入出力装置１２０と、画像情報Ｖを供給し検知情報Ｓを供給される演算装置１１０と、を含んで構成される。
【００５４】
演算装置１１０は、検知情報Ｓが折り畳まれた状態を示す情報を含む場合に、第１の領域１３１＿１１に収まる大きさの第１の画像を表示する画像情報Ｖを供給し、検知情報Ｓが展開された状態を示す情報を含む場合に、第１の画像におよそ相似し且つ表示部１３０の表示領域１３１に収まる大きさの第２の画像を表示する画像情報Ｖを供給する（図４参照）。
【００５５】
第２の画像の縦の長さの横の長さに対する比の値は、第１の画像の縦の長さの横の長さに対する比の値の０．９倍以上１．１倍以下とするとよい。
【００５６】
これにより、縦の長さの横の長さに対する比の値が、折り畳まれた状態の表示部の第１の領域に収まるように表示することができる第１の画像と、およそ同じである第２の画像を、展開された状態の表示部の表示領域に収まるように表示することができる。その結果、利便性または信頼性に優れた新規な情報処理装置を提供することができる。
【００５７】
なお、折り畳まれた状態であっても、特定の指示があれば、第２の領域１３１＿１２にも画像を表示させることもできる。第１の領域１３１＿１１を通して、第２の領域１３１＿１２に表示される画像を視認できるので、第１の領域１３１＿１１に表示される画像と第２の領域１３１＿１２に表示される画像を対比することが容易におこなえる。この際、第２の領域１３１＿１２に表示される画像は、展開したときのものを反転させるとよい。
【００５８】
以下に、情報処理装置を構成する個々の要素について説明する。なお、これらの構成は明確に分離できず、一つの構成が他の構成を兼ねる場合や他の構成の一部を含む場合がある。
【００５９】
例えばタッチセンサが表示パネルに重ねられたタッチパネルは、表示部１３０であるとともに、位置情報入力部１４０でもある。
【００６０】
なお、本実施の形態では表示部１３０の表示面側の一部（例えば、第１の領域１３１＿１１と重なる領域のみ）あるいは全部に位置情報入力部１４０が重ねられた構成を有するタッチセンサを例に説明するが、この構成に限られない。具体的には、位置情報入力部１４０の検知面側に表示部１３０が重ねられた構成であってもよいし、表示部１３０と位置情報入力部１４０が一体の構造を有していてもよい。言い換えると、オン・セル型のタッチパネルであってもイン・セル型のタッチパネルであってもよい。
【００６１】
［入出力装置１２０］
入出力装置１２０は、表示部１３０と、位置情報入力部１４０と、入出力部１４５と、検知部１５０と、通信部１６０とを有する。
【００６２】
［表示部１３０］
表示部１３０は、画像情報Ｖが供給され、画像情報Ｖを表示することができる（図４参照）。
【００６３】
表示部１３０は表示領域１３１を備え、画像情報Ｖを表示領域１３１に表示する。
【００６４】
表示領域１３１は、第１の領域１３１＿１１、第１の屈曲できる領域１３１＿２１、第２の領域１３１＿１２、第２の屈曲できる領域１３１＿２２および第３の領域１３１＿１３を備える。
【００６５】
第１の領域１３１＿１１の短辺の長さの長辺の長さに対する比の値は、表示領域の短辺の長さの長辺の長さに対する比の値の０．９倍以上１．１倍以下とするとよいが、これに限定されない。
【００６６】
第１の屈曲できる領域１３１＿２１および第２の屈曲できる領域１３１＿２２は、画像情報Ｖを表示することができるだけでなく屈曲することができる。
【００６７】
例えば、第１の屈曲できる領域１３１＿２１および第２の屈曲できる領域１３１＿２２は、１０ｍｍ以下、好ましくは８ｍｍ以下、より好ましくは５ｍｍ以下、特に好ましくは３ｍｍ以下の曲率半径で屈曲することができる。
【００６８】
表示部１３０は、第１の屈曲できる領域１３１＿２１に第１の畳み目が形成されるように折り畳むことができる。また、第１の畳み目を広げて表示部１３０を展開することができる。
【００６９】
表示部１３０は、第２の屈曲できる領域１３１＿２２に第２の畳み目が形成されるように折り畳むことができる。また、第２の畳み目を広げて表示部１３０を展開することができる。
【００７０】
第１の領域１３１＿１１と第２の領域１３１＿１２を、一体で駆動してもよい。例えば、一の走査線駆動回路が走査線を選択する信号を供給する構成としてもよい。
【００７１】
第１の領域１３１＿１１と第２の領域１３１＿１２を、別々に駆動してもよい。例えば、走査線駆動回路をそれぞれの領域に設け、それぞれの走査線駆動回路がそれぞれの走査線を選択する信号を供給する構成としてもよい。
【００７２】
例えば、情報処理装置１００の待機状態において、第１の領域１３１＿１１または／および第１の屈曲できる領域１３１＿２１のみを駆動して、他の領域の駆動を停止してもよい。または、情報処理装置１００の折り畳まれた状態において、第１の領域１３１＿１１または／および第１の屈曲できる領域１３１＿２１のみを駆動して、他の領域の駆動を停止してもよい。他の領域の駆動を停止することにより、消費電力を低減することができる。
【００７３】
例えば、実施の形態１で説明する表示パネルを表示部１３０に適用することができる。
【００７４】
また、表示部１３０に適用可能な構成例を、実施の形態５、実施の形態６および実施の形態７に記載して説明する。
【００７５】
［検知部１５０］
検知部１５０は、情報処理装置１００または／およびその周囲の状態を検知して検知情報Ｓを供給することができる（図４参照）。
【００７６】
検知部１５０は、表示部１３０が折り畳まれた状態かまたは展開された状態かを検知する検知回路１５０＿１、検知回路１５０＿２および検知回路１５０＿３を備える。
【００７７】
検知部１５０は、表示部１３０の折り畳まれた状態または展開された状態を示す情報を含む検知情報Ｓを供給する。
【００７８】
表示部１３０の折り畳まれた状態または展開された状態は、各種のセンサを用いて検知することができる。
【００７９】
例えば、メカニカルスイッチ、光学式スイッチ、磁気センサ、光電変換素子、ＭＥＭＳ圧力センサまたは感圧センサ等を用いて表示部１３０の折り畳まれた状態を検知することができる。
【００８０】
例えば、第２の領域１３１＿１２または第３の領域１３１＿１３の表示を視認できないようにさせているものを検知して、表示部１３０の折り畳まれた状態を検知することができる。
【００８１】
具体的には、第２の領域１３１＿１２が画像情報Ｖを表示する側から入射する光の強度を検知するように光電変換素子を情報処理装置１００に配置し、当該光電変換素子を用いて第３の領域１３１＿１３を検知して、表示部１３０が第２の屈曲できる領域１３１＿２２で折り畳まれたか否かを検知することができる。
【００８２】
なお、検知部１５０は、例えば加速度、角加速度、方位、圧力、ＧＰＳ（Ｇｌｏｂａｌ  ｐｏｓｉｔｉｏｎｉｎｇ  Ｓｙｓｔｅｍ）信号、温度または湿度等を検知して、その情報を供給してもよい。
【００８３】
［位置情報入力部１４０］
位置情報入力部１４０は、近接するものを検知して近接するものの位置情報Ｌを供給する。
【００８４】
例えば、情報処理装置１００の使用者は、位置情報入力部１４０に近接させた指や掌等を用いて、様々な操作命令を情報処理装置１００に供給することができる。
【００８５】
例えば、終了命令（プログラムを終了する命令）を含む操作命令を供給することができる。
【００８６】
位置情報入力部１４０は、第１の位置情報入力部１４０＿１１、第２の位置情報入力部１４０＿１２、第３の位置情報入力部１４０＿１３第４の位置情報入力部１４０＿２１および第５の位置情報入力部１４０＿２２を備える。
【００８７】
位置情報入力部１４０は、表示部１３０と重なるように配置してもよい。
【００８８】
具体的には、第１の領域１３１＿１１に重ねて第１の位置情報入力部１４０＿１１を、第２の領域１３１＿１２に重ねて第２の位置情報入力部１４０＿１２を、第３の領域１３１＿１３に重ねて第３の位置情報入力部１４０＿１３を配置し、第１の屈曲できる領域１３１＿２１に重ねて屈曲することができる第４の位置情報入力部１４０＿２１を配置する。また、第２の屈曲できる領域１３１＿２２に重ねて屈曲できる第５の位置情報入力部１４０＿２２を配置する。
【００８９】
なお、表示部１３０より使用者側に位置情報入力部１４０を配置する場合は、透光性を有する位置情報入力部１４０を配置する。
【００９０】
第１の位置情報入力部１４０＿１１は他の位置情報入力部と一体で駆動してもよいし、別々に駆動してもよい。
【００９１】
例えば、第１の位置情報入力部１４０＿１１が消費する電力および第２の位置情報入力部１４０＿１２が消費する電力の合計が、第１の位置情報入力部１４０＿１１が消費する電力より大きい場合、情報処理装置１００の待機状態において、第１の位置情報入力部１４０＿１１のみを駆動して、第２の位置情報入力部の駆動を停止してもよい。第２の位置情報入力部１４０＿１２部の駆動を停止することにより、消費電力を低減することができる。
【００９２】
例えば、近接センサを位置情報入力部１４０に用いることができる。近接センサは、近接または接触するもの（例えば指や掌）を検知できるセンサであればよく、例えば容量素子や撮像素子を適用できる。なお、容量素子をマトリクス状に有する基板を容量式のタッチセンサと、撮像素子を有する基板を光学式のタッチセンサということができる。
【００９３】
なお、可撓性を有し、屈曲できる位置情報入力部１４０に適用可能な構成例を、実施の形態５、実施の形態６および実施の形態７に記載して説明する。
【００９４】
［通信部１６０］
通信部１６０は、演算装置１１０が供給する情報ＣＯＭを情報処理装置１００の外部の機器または通信網に供給する。また、情報ＣＯＭを外部の機器または通信網から取得して供給する。
【００９５】
情報ＣＯＭは、音声情報、画像情報等の他、様々な命令等を含むことができる。例えば、画像情報Ｖを演算部１１１に生成または消去等させる操作命令を含むことができる。
【００９６】
外部の機器または通信網に接続するための通信手段、例えばハブ、ルータまたはモデム等を通信部１６０に適用できる。なお、接続方法は有線による方法に限らず、無線（例えば電波または赤外線等）をもちいてもよい。
【００９７】
［入出力部１４５］
例えば、カメラ、マイク、読み取り専用の外部記憶部、外部記憶部、スキャナー、スピーカーまたはプリンタ等を入出力部１４５に用いることができる。
【００９８】
具体的には、デジタルカメラおよびデジタルビデオカメラ等をカメラに用いることができる。
【００９９】
ハードディスクまたはリムーバブルメモリなどを外部記憶部に用いることができる。また、ＣＤＲＯＭ、ＤＶＤＲＯＭ等を読み取り専用の外部記憶部に用いることができる。
【０１００】
［演算装置］
演算装置１１０は、演算部１１１および記憶部１１２を備える。演算装置１１０は画像情報Ｖを供給し、検知情報Ｓを供給される（図４参照）。
【０１０１】
例えば、演算装置１１０は、情報処理装置１００の操作の用に供する画像を表示する画像情報Ｖを供給する。
【０１０２】
なお、画像情報Ｖは表示部１３０の表示領域１３１に表示される。
【０１０３】
また、演算装置１１０は、位置情報Ｌを供給される構成を有していてもよい。例えば、位置情報入力部１４０の表示部１３０に表示された操作の用に供する画像と重なる位置を指等で触れることにより、使用者は当該画像に関連付けられた操作命令を演算装置１１０に供給できる。
【０１０４】
また、演算装置１１０は、伝送路１１４と、入出力インターフェース１１５を有していてもよい。
【０１０５】
［演算部］
演算部１１１は、記憶部１１２が記憶するプログラムを実行する。例えば、操作の用に供する画像を表示した位置の位置情報Ｌが供給された場合に、演算部１１１は当該画像にあらかじめ関連付けられたプログラムを実行する。
【０１０６】
［記憶部］
記憶部１１２は、演算部１１１に実行させるプログラムを記憶する。
【０１０７】
なお、演算装置１１０に実行させるプログラムの一例を、実施の形態３に記載して説明する。
【０１０８】
［入出力インターフェース・伝送路］
入出力インターフェース１１５は情報を供給し、情報が供給される。
【０１０９】
伝送路１１４は情報を供給することができ、演算部１１１、記憶部１１２および入出力インターフェース１１５は情報を供給される。また、演算部１１１、記憶部１１２および入出力インターフェース１１５は、情報を供給することができ、伝送路１１４は情報を供給される。
【０１１０】
［筐体］
情報処理装置１００に加わるさまざまな応力から演算装置１１０等を保護するために、情報処理装置１００は、筐体を有していてもよい。プラスチックまたはガラス等の透明な材料を筐体に用いることができる。
【０１１１】
なお、本実施の形態は、本明細書で示す他の実施の形態と適宜組み合わせることができる。
【０１１２】
（実施の形態３）
本実施の形態では、情報処理装置１００に適用可能なプログラムの構成について、図５および図６を参照しながら説明する。ここでは、情報処理装置１００は、図１（Ａ）に示すように、第１の領域１３１＿１１、第２の領域１３１＿１２、第３の領域１３１＿１３、第１の屈曲できる領域１３１＿２１、第２の屈曲できる領域１３１＿２２を備えているものとする。
【０１１３】
図５は情報処理装置の演算装置が実行するプログラムを説明するフロー図である。図６は図５を用いて説明するプログラムの割り込み処理を説明するフロー図である。
【０１１４】
＜情報処理装置の構成例＞
本実施の形態で説明する情報処理装置１００は、演算部１１１および演算部１１１に実行させるプログラムを記憶する記憶部１１２を備える。
【０１１５】
記憶部１１２が記憶するプログラムは、以下のステップを備える。
【０１１６】
［第１のステップ］
第１のステップにおいて、ステータス情報を含む初期情報を取得する（図５（Ｓ１））。
【０１１７】
例えば、記憶部１１２に記憶された所定のステータス情報および後のステップで使用される必要な情報を含む初期情報を取得する。また、初期情報は検知部１５０が供給する検知情報Ｓを含んでもよい。
【０１１８】
具体的には、検知部１５０が供給する検知情報Ｓに、表示部１３０が図１（Ｂ）のように折り畳まれた状態を示す情報を含む場合は第１のステータスとし、展開された状態を示す情報を含む場合は、第２のステータスとするステータス情報を取得する。以下では、説明を簡略におこなうため、上記の２つのステータスのみを考慮するが、例えば、図１（Ｃ）のように折り畳んだ状態やその他の折り畳み方に適応したフローも同様に構成できる。
【０１１９】
［第２のステップ］
第２のステップにおいて、割り込み処理を許可する（図５（Ｓ２））。なお、割り込み処理が許可された演算部１１１は、割り込み処理についての実行命令を受けつけることができる。割り込み処理の実行命令を受けつけた演算部１１１は、主の処理を中断し、割り込み処理を実行し、割り込み処理の実行結果を例えば記憶部に格納する。これにより、割り込み処理から主の処理に復帰した演算部は、格納された割り込み処理の実行結果に基づいて主の処理を再開することができる。
【０１２０】
［第３のステップ］
第３のステップにおいて、所定の情報を取得する（図５（Ｓ３））。
【０１２１】
所定の情報は、後のステップで生成する第１の画像、第２の画像または第３の画像の基礎になる情報を含む。ここで、第１の画像は、第１の領域１３１＿１１、第２の領域１３１＿１２、第３の領域１３１＿１３、第１の屈曲できる領域１３１＿２１、第２の屈曲できる領域１３１＿２２で表示するのに最適化された大きさの画像であり、第２の画像とは、第１の領域１３１＿１１のみで表示するのに最適化された大きさの画像である。また、第３の画像とは、第１の領域１３１＿１１と第２の領域１３１＿１２に表示される画像であり、特に第２の領域１３１＿１２に表示された画像は、第１の領域１３１＿１１を透過して、視認されるもので、第１の領域１３１＿１１と、第２の領域１３１＿１２で表示するのに最適化された大きさの画像である。
【０１２２】
なお、後に説明する第９のステップから第３のステップに進んだ場合、第３のステップにおいて、割り込み処理で供給される操作命令または更新されたステータス情報が反映される。
【０１２３】
［第４のステップ］
第４のステップにおいて、ステータス情報が第１のステータスである場合は第６のステップに進み、第２のステータスである場合は第５のステップに進む（図５（Ｓ４））。
【０１２４】
［第５のステップ］
第５のステップにおいて、第３のステップで取得した情報に基づいて、第１の画像を表示する画像情報Ｖを生成し、表示する（図５（Ｓ５））。すなわち、第１の画像を第１の領域１３１＿１１、第２の領域１３１＿１２、第３の領域１３１＿１３、第１の屈曲できる領域１３１＿２１、第２の屈曲できる領域１３１＿２２に表示する（第１の表示）。
【０１２５】
［第６のステップ］
第６のステップにおいて、透過表示をおこなわない場合は、第７のステップに進み、透過表示をおこなう場合には、第８のステップに進む（図５（Ｓ６））。
【０１２６】
［第７のステップ］
第３のステップで取得した情報に基づいて、第２の画像が第１の領域１３１＿１１に収まるような画像情報Ｖを生成し、画像情報Ｖを表示する（図５（Ｓ７））。すなわち、第２の画像を第１の領域１３１＿１１のみに表示する（第２の表示）。
【０１２７】
例えば、第３のステップで取得した情報に基づいて、第１の領域１３１＿１１に収まるように占める面積が調整された画像を表示する画像情報Ｖを生成する。
【０１２８】
例えば、第３のステップで数字または英文字を含む情報を取得し且つ表示部１３０が折り畳まれた状態を検知した場合、第１の領域１３１＿１１を横長にして好適に読めるように数字または英文字が配列された第１の画像を表示する画像情報Ｖを生成する。
【０１２９】
例えば、第３のステップで取得した情報に基づいて、表示部の表示領域に収まるように大きさが調整された画像を表示する画像情報Ｖを生成する。
【０１３０】
例えば、第３のステップで数字または英文字を含む情報を取得し且つ表示部１３０が展開された状態を検知した場合、表示部１３０を横長にして好適に読めるように数字または英文字が配置された第２の画像を表示する画像情報Ｖを生成する。
【０１３１】
［第８のステップ］第３のステップで取得した情報に基づいて、第３の画像を表示する画像情報Ｖを生成し、表示する（図５（Ｓ８））。すなわち、第３の画像を第１の領域１３１＿１１と第２の領域１３１＿１２に表示する（第３の表示）。ここで、第２の領域１３１＿１２の表示は、第１の領域１３１＿１１を透過して視認できる。ただし、この場合、第２の領域１３１＿１２の表示は、第１の表示の場合とは反対側の面から視認されるので、第１の表示と同様に表示すると、左右あるいは上下が反転した状態で視認される。したがって、第３の表示においては、第２の領域１３１＿１２の表示は、第１の表示における第２の領域１３１＿１２での表示を第１の屈曲できる領域１３１＿２１に形成される第１の畳み目を軸に反転したものとする。
【０１３２】
［第９のステップ］
第７のステップにおいて、終了命令を割り込み処理において供給された場合は第１０のステップに進み、供給されなかった場合は第３のステップに進む（図５（Ｓ９））。
【０１３３】
［第１０のステップ］
第１０のステップにおいて、終了する（図５（Ｓ１０））。
【０１３４】
上記の例では、折りたたまれた状態は１つのみであるが、例えば、上記のプログラムの第５のステップにおいて、例えば第１の屈曲できる領域１３１＿２１で２つに折り畳まれた状態（第１のステータスとは異なるステータス）を検知した場合に、第２の画像を第１の領域１３１＿１１以外の領域に収まるように画像情報Ｖを生成し、第１の領域１３１＿１１以外の領域に第２の画像を表示してもよい（図３（Ｃ））。これにより、縦の長さＥに対する横の長さＤの比（Ｅ：Ｄ）がおよそ３：４あるいはそれに近い比率の画像を好適に表示することができる。
【０１３５】
また、第２の画像を第１の領域以外の領域の上側または下側に配置して、第２の画像を第１の領域以外の領域に収まるように画像情報Ｖを生成してもよい。
【０１３６】
また、ソフトウエアキーボード、文字、写真画像の他、テレビジョン放送された画像等を第２の画像に含めることができる。
【０１３７】
［割り込み処理］
また、割り込み処理は以下のステップを具備する。
【０１３８】
［第１１のステップ］
第１１のステップにおいて、検知情報Ｓを取得する（図６（Ｔ１１））。
【０１３９】
例えば、タイマー等を用いて検知部１５０が供給する検知情報Ｓを取得する。具体的には、表示部１３０が折り畳まれた状態か、展開された状態かを示す情報を含む検知情報Ｓを取得する。
【０１４０】
［第１２のステップ］
第１２のステップにおいて検知情報Ｓに基づいて候補情報を決定する（図６（Ｔ１２））。
【０１４１】
［第１３のステップ］
第１３のステップにおいて、候補情報がステータス情報と異なる場合は第１４のステップに進み、同じである場合は第１１のステップに進む（図６（Ｔ１３））。
【０１４２】
［第１４のステップ］
第１４のステップにおいて、ステータス情報を候補情報に更新する（図６（Ｔ１４））。
【０１４３】
例えば、検知情報Ｓに変化がある場合、ステータス情報が更新される。具体的には、表示部１３０が折り畳まれた状態か展開された状態かを示す情報に変化がある場合、ステータス情報を更新する。
【０１４４】
［第１５のステップ］
第１５のステップにおいて、割り込み処理から復帰する（図６（Ｔ１５））。
【０１４５】
なお、割り込み処理において、更新されたステータス情報は、第９のステップから第３のステップに進んだ後に反映される。また、割り込み処理において、終了命令が供給された場合は、第１０のステップに進み終了する。
【０１４６】
本実施の形態で説明する情報処理装置１００は、表示部が折り畳まれた状態かまたは展開された状態かを示す情報を含む検知情報Ｓを取得して候補情報を決定するステップと、ステータス情報が候補情報と異なる場合は、ステータス情報を候補情報に更新するステップと、更新されたステータス情報に基づいて所定の情報を含む画像情報Ｖを生成し表示するステップと、を含んで構成される。これにより、所定の情報を含み且つステータス情報に基づいた大きさの画像を設定された領域に表示することができる。その結果、利便性または信頼性に優れた新規な情報処理装置を提供できる。
【０１４７】
＜プログラムの変形例１．＞
変形例１では、情報処理装置に適用可能なプログラムの変形例について説明する。
【０１４８】
変形例１は、上記のプログラムの第５のステップ、第７のステップ、第８のステップにおいて、第１の画像または第２の画像の外側に第４の画像を表示する画像情報Ｖを生成する点が異なる。ここでは異なるステップについて説明し、同様のステップを用いることができる部分は、上記の説明を援用する。なお、この例では、第３の表示をおこなう場合について触れないが、同様に実施できる。
【０１４９】
［第５のステップ］
第５のステップにおいて、第３のステップで取得した情報に基づいて、第１の領域１３１＿１１、第２の領域１３１＿１２、第３の領域１３１＿１３、第１の屈曲できる領域１３１＿２１、第２の屈曲できる領域１３１＿２２に収まるように第１の画像を表示し、第１の画像を表示する領域の外側に第４の画像を表示する画像情報Ｖを生成し、表示する。
【０１５０】
［第７のステップ］
第７のステップにおいて、第３のステップで取得した情報に基づいて、第１の領域１３１＿１１に収まるように第２の画像を表示し、第２の画像を表示する領域の外側に第４の画像を表示する画像情報Ｖを生成し、表示する。
【０１５１】
これにより、第１の画像または第２の画像が表示される領域の外側に第４の画像を表示することができる。その結果、利便性または信頼性に優れた新規な情報処理装置を提供することができる。なお、例えば、第４の画像は、特定のステータスや指示があるときには表示されないようにしてもよい。
【０１５２】
例えば、第１の画像または第２の画像の外側に、文字情報を含む第４の画像を表示する画像情報Ｖを生成し、表示してもよい。具体的には、第１の屈曲できる領域１３１＿２１に第４の画像を表示してもよい（図３（Ｂ）参照）。
【０１５３】
流れるように移動する第４の画像を表示してもよい。また、表示する言語の規則に基づいて、第４の画像に含まれる文字を移動する方向を変えてもよい。例えば英語は右から左に移動してもよく、アラビア語は左から右に移動してもよい。移動する速さを使用者が好みに応じて設定できるようにしてもよい。
【０１５４】
また、文字情報等を第１の画像または第２の画像にスーパーインポーズしてもよい。
【０１５５】
また、電話番号、温度、着信したメールの内容等を第４の画像に含めることができる。
【０１５６】
＜プログラムの変形例２．＞
変形例２では、情報処理装置に適用可能なプログラムの変形例について説明する。
【０１５７】
変形例２で説明するプログラムが適用できる情報処理装置１００は、検知部１５０が、表示部１３０の姿勢を検知し、且つ検知された姿勢を示す情報を含む検知情報Ｓを供給する。
【０１５８】
そして、演算装置１１０が、検知情報Ｓに基づいて第１の画像または第２の画像の向きを決定し且つ決定された向きで第１の画像または第２の画像を表示する画像情報Ｖを生成する。
【０１５９】
情報処理装置１００は、表示部１３０の姿勢を検知し、検知された姿勢を示す情報を含む検知情報Ｓを供給する検知部１５０と、検知された姿勢に基づいて画像情報Ｖを生成する演算装置１１０とを含んで構成される。これにより、表示部の姿勢に基づいて決定された向きで表示部に画像を表示することができる。その結果、利便性または信頼性に優れた新規な情報処理装置を提供することができる。
【０１６０】
例えば、表示部１３０が折り畳まれた状態で第１の領域が縦長になる姿勢を検知した場合、または表示部が展開された状態で表示部が縦長になる姿勢を検知した場合、第４の画像に表示する文字を縦書きになるようにしてもよい。
【０１６１】
変形例２は、表示部１３０の姿勢を検知することができる検知部１５０を有する点、上記のプログラムの第１のステップにおいて、表示部１３０の折り畳まれた状態か展開された状態かを示す情報に表示部１３０の姿勢を示す情報を組み合わせたステータス情報を取得し、第５のステップ、第７のステップまたは第８のステップにおいて、姿勢を示す情報が組み合わされたステータス情報に基づいて第１の画像乃至第３の画像および表示する向きを決定し且つ決定された向きに第１の画像乃至第３の画像を表示する画像情報Ｖを生成し、第１１のステップにおいて、表示部１３０の折り畳まれた状態か展開された状態かを示す情報だけでなく表示部１３０の姿勢を示す情報を含む検知情報Ｓを取得し、第１４のステップにおいて、折り畳まれた状態か展開された状態かを示す情報だけでなく表示部の姿勢を示す情報に変化がある場合、ステータス情報を更新する点、が異なる。ここでは異なる検知部１５０の構成および異なるステップについて説明し、同様の構成および同様のステップを用いることができる部分は、上記の説明を援用する。
【０１６２】
［検知部１５０］
検知部１５０は、表示部１３０の姿勢を検知し、表示部１３０の姿勢を示す情報を含む検知信号Ｓを供給する。例えば、加速度センサや角加速度センサを表示部１３０の姿勢を検知するセンサに用いることができる。
【０１６３】
表示部１３０の姿勢を検知するセンサは、例えば筐体に配置する。
【０１６４】
［第１のステップの変形例］
第１のステップにおいて、ステータス情報を含む初期情報を取得する。具体的には、表示部１３０が折り畳まれた状態を示す情報が、検知部１５０が供給する検知情報Ｓに含まれる場合は第１のステータスであるとし、展開された状態を示す情報が含まれる場合は第２のステータスであるとするステータス情報を取得する。さらに、表示部１３０の姿勢が横長か縦長かについての情報をそれぞれのステータスに付与して、合計４種類の拡張されたステータス情報を定義して用いる。
【０１６５】
［第５のステップの変形例］
第５のステップにおいて、第３のステップで取得した表示部の畳まれた状態または展開された状態および表示部の姿勢を示すステータス情報に基づいて、第１の領域１３１＿１１、第２の領域１３１＿１２、第３の領域１３１＿１３、第１の屈曲できる領域１３１＿２１、第２の屈曲できる領域１３１＿２２に収まるように第１の画像を表示する画像情報Ｖを生成し、画像情報Ｖを表示する。
【０１６６】
例えば、第３のステップで取得したステータス情報に基づいて、横長または縦長の表示部の表示領域に収まるように向きおよび大きさが調整された画像を表示する画像情報Ｖを生成する。
【０１６７】
［第７のステップの変形例］
第７のステップにおいて、第３のステップで取得した表示部の折り畳まれた状態および表示部の姿勢を示すステータス情報に基づいて、第１の領域１３１＿１１に収まるように第２の画像を表示する画像情報Ｖを生成し、画像情報Ｖを表示する。同様な変形は第８のステップにおいてもなされる。
【０１６８】
例えば、第３のステップで取得したステータス情報に基づいて、横長または縦長の第１の領域１３１＿１１に収まるように向きおよび大きさが調整された画像を表示する画像情報Ｖを生成する。
【０１６９】
［第１１のステップの変形例］
第１１のステップにおいて、表示部の姿勢を示す情報を含む検知情報Ｓを取得する。
【０１７０】
具体的には、表示部１３０が折り畳まれた状態か展開された状態かを示す情報および表示部の姿勢を示す情報を含む検知情報Ｓを取得する。
【０１７１】
［第１４のステップの変形例］
第１４のステップにおいて、ステータス情報を候補情報に更新する。
【０１７２】
具体的には、表示部１３０が折り畳まれた状態か展開された状態かを示す情報だけでなく表示部の姿勢を示す情報に変化がある場合、ステータス情報を更新する。
【０１７３】
なお、本実施の形態は、本明細書で示す他の実施の形態と適宜組み合わせることができる。
【０１７４】
（実施の形態４）
本実施の形態では、情報処理装置の構成について、図４、図７および図８を参照しながら説明する。
【０１７５】
図４は情報処理装置の構成を説明するブロック図である。
【０１７６】
図７および図８は情報処理装置を説明する図である。
【０１７７】
図７（Ａ）は情報処理装置１００の表示部１３０が展開された状態を説明する投影図であり、図７（Ｂ）は図７（Ａ）の切断線Ｘ１−Ｘ２における情報処理装置１００の断面図である。図７（Ｃ）は表示部１３０が折り畳まれた状態を説明する投影図である。
【０１７８】
図８（Ａ）は情報処理装置１００の表示部１３０が屈曲された状態を説明する投影図であり、図８（Ｂ）は図８（Ａ）とは異なる形態に表示部１３０が屈曲された状態を説明する投影図である。
【０１７９】
＜情報処理装置の構成例＞
本実施の形態で説明する情報処理装置１００は、画像情報Ｖを供給され、検知情報Ｓを供給する入出力装置１２０と、画像情報Ｖを供給し、検知情報Ｓを供給される演算装置１１０と、を有する（図４参照）。
【０１８０】
そして、入出力装置１２０は、画像情報Ｖを供給される表示部１３０および検知情報Ｓを供給する検知部１５０を備える。
【０１８１】
表示部１３０は、第１の領域１３１＿１１、第１の屈曲できる領域１３１＿２１、第２の領域１３１＿１２、第２の屈曲できる領域１３１＿２２および第３の領域１３１＿１３がこの順で配置された表示領域を有する（図４および図７（Ａ）参照）。
【０１８２】
第１の領域１３１＿１１の短辺の長さＡの長辺の長さＢに対する比の値（Ａ／Ｂ）は、表示領域１３１の短辺の長さＢの長辺の長さＣに対する比の値（Ｂ／Ｃ）の０．９倍以上１．１倍以下である。
【０１８３】
第１の領域１３１＿１１の短辺の長さＡ：長辺の長さＢはおよそ９：１６である。
【０１８４】
表示部１３０は、第１の屈曲できる領域１３１＿２１に形成される第１の畳み目および第２の屈曲できる領域１３１＿２２に形成される第２の畳み目で折り畳まれた状態および展開された状態にすることができる（図７（Ａ）および図７（Ｃ）参照）。
【０１８５】
検知部１５０は、表示部１３０が折り畳まれた状態かまたは展開された状態かを検知し、且つ検知された状態を示す情報を含む検知情報Ｓを供給する（図４参照）。
【０１８６】
また、演算装置１１０は、検知情報Ｓが折り畳まれた状態を示す情報を含む場合に、第１の領域１３１＿１１に収まる大きさの第１の画像を表示する画像情報Ｖを供給し、検知情報Ｓが展開された状態を示す情報を含む場合に、表示部１３０の表示領域１３１に収まる大きさの第１の画像とおよそ相似する第２の画像を表示する画像情報Ｖを供給する（図４、図７（Ａ）乃至図７（Ｃ）参照）。
【０１８７】
第２の画像の面積は、第１の画像の面積の２．７倍以上３．３倍以下である。
【０１８８】
本実施の形態で説明する情報処理装置１００は、画像情報Ｖが供給され且つ折り畳むことができる表示部１３０および表示部１３０が折り畳まれた状態か展開された状態かを検知して、検知した状態を示す情報を含む検知情報Ｓを供給する検知部１５０を備える入出力装置１２０と、画像情報Ｖを供給し検知情報Ｓを供給される演算装置１１０と、を含んで構成される。
【０１８９】
これにより、折り畳まれた状態の表示部の第１の領域に収まるように表示することができる第１の画像と、縦の長さの横の長さに対する比の値がおよそ同じである第２の画像を、展開された状態の表示部の表示領域に収まるように表示することができる（図７（Ａ）参照）。その結果、利便性または信頼性に優れた新規な情報処理装置を提供することができる。
【０１９０】
また、筐体１０１＿１、ヒンジ１０２＿１、筐体１０１＿２、ヒンジ１０２＿２および筐体１０１＿３がこの順に配置され、表示部１３０を保持し且つ表示部１３０を折り畳まれた状態または展開された状態にすることができる（図７（Ａ）乃至図７（Ｃ）参照）。
【０１９１】
筐体１０１＿１は、第１の領域１３１＿１１と重なり、検知回路１５０＿１および釦１４５＿１を備える。
【０１９２】
筐体１０１＿２は、第２の領域１３１＿１２と重なり、検知回路１５０＿２を備える。
【０１９３】
筐体１０１＿３は、第３の領域１３１＿１３と重なり、検知回路１５０＿３を備え、演算装置１１０、アンテナ１１０Ａおよびバッテリー１１０Ｂを収納する。
【０１９４】
ヒンジ１０２＿１は、第１の屈曲できる領域１３１＿２１と重なり、筐体１０１＿１を筐体１０１＿２に対して回動可能に接続する（図７（Ｂ）参照）。
【０１９５】
ヒンジ１０２＿２は、第２の屈曲できる領域１３１＿２２と重なり、筐体１０１＿２を筐体１０１＿３に対して回動可能に接続する。
【０１９６】
アンテナ１１０Ａは、演算装置１１０と電気的に接続され、信号を供給または供給される。
【０１９７】
また、アンテナ１１０Ａは、外部装置から無線で電力を供給され、電力をバッテリー１１０Ｂに供給する。
【０１９８】
バッテリー１１０Ｂは、演算装置１１０と電気的に接続され、電力を供給する。
【０１９９】
以下に、情報処理装置１００を構成する個々の要素について説明する。なお、これらの構成は明確に分離できず、一つの構成が他の構成を兼ねる場合や他の構成の一部を含む場合がある。
【０２００】
例えばタッチセンサが表示パネルに重ねられたタッチパネルは、表示部１３０であるとともに、位置情報入力部１４０でもある。
【０２０１】
なお、本実施の形態では表示部１３０の表示面側に位置情報入力部１４０が重ねられた構成を有するタッチセンサを例に説明するが、この構成に限られない。具体的には、位置情報入力部１４０の検知面側に表示部１３０が重ねられた構成であってもよいし、表示部１３０と位置情報入力部１４０が一体の構造を有していてもよい。言い換えると、オン・セル型のタッチパネルであってもイン・セル型のタッチパネルであってもよい。
【０２０２】
［全体の構成］
情報処理装置１００は、入出力装置１２０と演算装置１１０を有する（図４参照）。
【０２０３】
また、本実施の形態で説明する情報処理装置１００は、実施の形態２で説明する情報処理装置１００と、筐体１０１＿１、筐体１０１＿２、筐体１０１＿３、ヒンジ１０２＿１、ヒンジ１０２＿２、アンテナ１１０Ａ、バッテリー１１０Ｂおよび釦１４５＿１の構成が異なる。ここでは異なる構成について説明し、同様の構成を用いることができる部分は、上記の説明を援用する。
【０２０４】
［表示部１３０］
本実施の形態で説明する表示部１３０は、実施の形態２で説明する表示部１３０の第１の領域１３１＿１１の短辺の長さＡ：長辺Ｂの長さはおよそ９：１６である点が異なる。これにより、ワイドな画像を表示することができる（図７（Ｃ）参照）。
【０２０５】
また、フルハイビジョン放送の規格に適合する画像を表示することができるように、表示領域１３１の短辺方向に１０８０個、長辺方向に１９２０個の画素をマトリクス状に配置してもよい。
【０２０６】
［演算装置］
本実施の形態の演算装置１１０は、実施の形態３で説明するプログラムの第６のステップにおいて、第３のステップで取得した情報に基づいて、表示部の表示領域に収まるように、第１の画像の面積の２．７倍以上３．３倍以下である面積の第２の画像を表示する画像情報Ｖを生成し、表示する（図５（Ｓ６））。
【０２０７】
例えば、表示部１３０の折り畳まれた状態または展開された状態を示す情報を含む検知情報Ｓに基づいて、拡大または縮小された画像を表示する画像情報Ｖを生成し、表示部１３０に表示する。
【０２０８】
具体的には、表示部１３０が折り畳まれた状態において、表示領域１３１のおよそ１／３の大きさの第１の領域１３１＿１１に広がるように第１の画像を表示する画像情報Ｖを生成し、表示する（図７（Ｃ）参照）。また、表示部１３０が展開された状態で、第１の画像の面積の２．７倍以上３．３倍以下である面積の第２の画像を表示する画像情報Ｖを生成し、表示する（図７（Ａ）参照）。
【０２０９】
これにより、表示部１３０が折り畳まれた状態において、第１の領域１３１＿１１に広がるように画像を表示することができ、表示部１３０が展開された状態において、表示領域１３１の全体に広がるように画像を表示することができる。
【０２１０】
［その他の構成］
情報処理装置１００は、筐体１０１＿１、筐体１０１＿２および筐体１０１＿３を備える。例えば、樹脂、金属またはガラス等を筐体に適用できる（図７（Ｂ））。
【０２１１】
情報処理装置１００は、ヒンジ１０２＿１およびヒンジ１０２＿２を備える。例えば、樹脂または金属等をヒンジに適用できる。
【０２１２】
情報処理装置１００は、筐体１０１＿２の一辺は、ヒンジ１０２＿１を介して筐体１０１＿１と接続され、筐体１０１＿２の対向する他の一辺は、ヒンジ１０２＿２を介して筐体１０１＿３と接続される。これにより、情報処理装置１００の形態を様々に変えることができる。
【０２１３】
例えば、タッチセンサを第３の領域１３１＿１３に重ねて配置し、第３の領域１３１＿１３をおよそ水平に配置し、筐体１０１＿１を用いて第２の領域１３１＿１２を斜めになるように配置してもよい。これにより、タッチセンサをソフトウエアキーボードとして使用するためのキーボードの画像を第３の領域１３１＿１３に表示して、入力結果等を第２の領域１３１＿１２に表示することができる（図８（Ａ）参照）。
【０２１４】
例えば、筐体１０１＿３のヒンジ１０２＿２が接続されていない辺が、筐体１０１＿１のヒンジ１０２＿１が接続されていない辺に接するように、配置してもよい（図８（Ｂ）参照）。
【０２１５】
情報処理装置１００は、アンテナ１１０Ａを備える。アンテナ１１０Ａは、例えば変調された高周波を受信または発信することができる。
【０２１６】
アンテナ１１０Ａを通信部１６０に電気的に接続して、通信部１６０が供給する情報を外部の装置に供給してもよい。また、アンテナ１１０Ａは、外部の装置が供給する情報を通信部１６０に供給してもよい。
【０２１７】
アンテナ１１０Ａは外部の無線給電装置が供給する電力をバッテリー１１０Ｂに供給してもよい。
【０２１８】
情報処理装置１００は、バッテリー１１０Ｂを備える。例えば、リチウムイオン電池等をバッテリー１１０Ｂに適用できる。
【０２１９】
情報処理装置１００は、釦１４５＿１を備える。例えば、情報処理装置１００の使用者は情報処理装置１００の電源のオンオフ等の操作命令を、釦１４５＿１を押下して供給することができる。
【０２２０】
なお、本実施の形態は、本明細書で示す他の実施の形態と適宜組み合わせることができる。
【０２２１】
（実施の形態５）
本実施の形態では、情報処理装置の表示部および操作部に適用することができる折り曲げ可能なタッチパネルの構成について、図９を参照しながら説明する。
【０２２２】
図９（Ａ）は情報処理装置１００に適用可能なタッチパネルの構造を説明する上面図である。
【０２２３】
図９（Ｂ）は図９（Ａ）の切断線Ａ−Ｂおよび切断線Ｃ−Ｄにおける断面図である。
【０２２４】
図９（Ｃ）は図９（Ａ）の切断線Ｅ−Ｆにおける断面図である。
【０２２５】
＜上面図の説明＞
本実施の形態で例示するタッチパネル３００は表示部３０１を有する（図９（Ａ）参照）。
【０２２６】
表示部３０１は、複数の画素３０２と複数の撮像画素３０８を備える。撮像画素３０８は表示部３０１に触れる指等を検知することができる。これにより、撮像画素３０８を用いてタッチセンサを構成することができる。
【０２２７】
画素３０２は、複数の副画素（例えば副画素３０２Ｒ）を備え、副画素は発光素子および発光素子を駆動する電力を供給することができる画素回路を備える。
【０２２８】
画素回路は、選択信号を供給することができる配線および画像信号を供給することができる配線と、電気的に接続される。
【０２２９】
また、タッチパネル３００は選択信号を画素３０２に供給することができる走査線駆動回路３０３ｇ＿１と、画像信号を画素３０２に供給することができる画像信号線駆動回路３０３ｓ＿１を備える。
【０２３０】
撮像画素３０８は、光電変換素子および光電変換素子を駆動する撮像画素回路を備える。
【０２３１】
撮像画素回路は、制御信号を供給することができる配線および電源電位を供給することができる配線と電気的に接続される。
【０２３２】
制御信号としては、例えば記録された撮像信号を読み出す撮像画素回路を選択することができる信号、撮像画素回路を初期化することができる信号、および撮像画素回路が光を検知する時間を決定することができる信号などを挙げることができる。
【０２３３】
タッチパネル３００は制御信号を撮像画素３０８に供給することができる撮像画素駆動回路３０３ｇ＿２と、撮像信号を読み出す撮像信号線駆動回路３０３ｓ＿２を備える。
【０２３４】
＜断面図の説明＞
タッチパネル３００は、基板３１０および基板３１０に対向する対向基板３７０を有する（図９（Ｂ）参照）。
【０２３５】
基板３１０および対向基板３７０に可撓性を有する材料を適用することにより、可撓性をタッチパネル３００に付与することができる。
【０２３６】
なお、可撓性を有するタッチパネル３００を変形すると、タッチパネル３００に設けられた機能素子は応力を受ける。機能素子を基板３１０と対向基板３７０のおよそ中央に配置すると機能素子の変形を抑制することができ好ましい。
【０２３７】
また、線膨張率がおよそ等しい材料を基板３１０および対向基板３７０に用いると好ましい。例えば、材料の線膨張率が１×１０−３／Ｋ以下、好ましくは５×１０−５／Ｋ以下、より好ましくは１×１０−５／Ｋ以下であるとよい。
【０２３８】
例えば、ポリエステル、ポリオレフィン、ポリアミド（ナイロン、アラミド等）、ポリイミド、ポリカーボネートまたはアクリル、ウレタン、エポキシもしくはシロキサン結合を有する樹脂含む材料を基板３１０および対向基板３７０に用いることができる。
【０２３９】
基板３１０は、可撓性を有する基板３１０ｂ、不純物の発光素子への拡散を防ぐバリア膜３１０ａおよび基板３１０ｂとバリア膜３１０ａを貼り合わせる樹脂層３１０ｃが積層された積層体である。なお、基板３１０は可視光の５０％以上を透過する。
【０２４０】
対向基板３７０は、可撓性を有する基材３７０ｂ、不純物の発光素子への拡散を防ぐバリア膜３７０ａおよび基材３７０ｂとバリア膜３７０ａを貼り合わせる樹脂層３７０ｃの積層体である（図９（Ｂ）参照）。
【０２４１】
封止材３６０は対向基板３７０と基板３１０を貼り合わせている。また、封止材３６０は空気より大きい屈折率を備え、光学接合（Ｏｐｔｉｃａｌ  Ｂｏｎｄｉｎｇ、界面での光の反射を抑えることのできる貼り合せ技術）が実現される。画素回路および発光素子（例えば第１の発光素子３５０Ｒ）は基板３１０と対向基板３７０の間にある。
【０２４２】
［画素の構成］
画素３０２は、副画素３０２Ｒ、副画素３０２Ｇおよび副画素３０２Ｂを有する（図９（Ｃ）参照）。また、副画素３０２Ｒは発光モジュール３８０Ｒを備え、副画素３０２Ｇは発光モジュール３８０Ｇを備え、副画素３０２Ｂは発光モジュール３８０Ｂを備える。
【０２４３】
例えば副画素３０２Ｒは、第１の発光素子３５０Ｒおよび第１の発光素子３５０Ｒに電力を供給することができるトランジスタ３０２ｔを含む画素回路を備える（図９（Ｂ）参照）。また、発光モジュール３８０Ｒは第１の発光素子３５０Ｒおよび光学素子（例えば着色層３６７Ｒ）を備える。
【０２４４】
発光素子３５０Ｒは、下部電極３５１Ｒ、上部電極３５２、下部電極３５１Ｒと上部電極３５２の間に発光性の有機化合物を含む層３５３を有する（図９（Ｃ）参照）。
【０２４５】
発光性の有機化合物を含む層３５３は、発光ユニット３５３ａ、発光ユニット３５３ｂおよび発光ユニット３５３ａと発光ユニット３５３ｂの間に中間層３５４を備える。
【０２４６】
発光モジュール３８０Ｒは、第１の着色層３６７Ｒを対向基板３７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【０２４７】
例えば、発光モジュール３８０Ｒは、第１の発光素子３５０Ｒと第１の着色層３６７Ｒに接する封止材３６０を有する。
【０２４８】
第１の着色層３６７Ｒは第１の発光素子３５０Ｒと重なる位置にある。これにより、発光素子３５０Ｒが発する光の一部は、封止材３６０および第１の着色層３６７Ｒを透過して、図中の矢印に示すように発光モジュール３８０Ｒの外部に放射される。なお、光を放射する方向は一方向に限らず、両方向でもよい。その場合には、基板３１０にも着色層を設けるとよい。
【０２４９】
［表示パネルの構成］
タッチパネル３００は、遮光層３６７ＢＭを対向基板３７０に有する。遮光層３６７ＢＭは、着色層（例えば第１の着色層３６７Ｒ）を囲むように設けられている。なお、表示部の透光性を高めるためには遮光層３６７ＢＭを設けないとよい。
【０２５０】
タッチパネル３００は、反射防止層３６７ｐを表示部３０１に重なる位置に備える。反射防止層３６７ｐとして、例えば円偏光板を用いることができる。
【０２５１】
タッチパネル３００は、絶縁膜３２１を備える。絶縁膜３２１はトランジスタ３０２ｔを覆っている。なお、絶縁膜３２１は画素回路に起因する凹凸を平坦化するための層として用いることができる。また、不純物のトランジスタ３０２ｔ等への拡散を抑制することができる層が積層された絶縁膜を、絶縁膜３２１に適用することができる。
【０２５２】
タッチパネル３００は、発光素子（例えば第１の発光素子３５０Ｒ）を絶縁膜３２１上に有する。
【０２５３】
タッチパネル３００は、下部電極３５１Ｒの端部に重なる隔壁３２８を絶縁膜３２１上に有する（図９（Ｃ）参照）。また、基板３１０と対向基板３７０の間隔を制御するスペーサ３２９を、隔壁３２８上に有する。
【０２５４】
［画像信号線駆動回路の構成］
画像信号線駆動回路３０３ｓ＿１は、トランジスタ３０３ｔおよび容量３０３ｃを含む。なお、駆動回路は画素回路と同一の工程で同一基板上に形成することができる。
【０２５５】
［撮像画素の構成］
撮像画素３０８は、光電変換素子３０８ｐおよび光電変換素子３０８ｐに照射された光を検知するための撮像画素回路を備える。また、撮像画素回路は、トランジスタ３０８ｔを含む。
【０２５６】
例えばｐｉｎ型のフォトダイオードを光電変換素子３０８ｐに用いることができる。
【０２５７】
［他の構成］
タッチパネル３００は、信号を供給することができる配線３１１を備え、端子３１９が配線３１１に設けられている。なお、画像信号および同期信号等の信号を供給することができるフレキシブル印刷回路３０９＿１が端子３１９に電気的に接続されている。
【０２５８】
なお、フレキシブル印刷回路３０９＿１にはプリント配線基板（ＰＷＢ）が取り付けられていても良い。
【０２５９】
同一の工程で形成されたトランジスタを、トランジスタ３０２ｔ、トランジスタ３０３ｔ、トランジスタ３０８ｔ等のトランジスタに適用できる。
【０２６０】
ボトムゲート型、トップゲート型等の構造を有するトランジスタを適用できる。
【０２６１】
様々な半導体をトランジスタに適用できる。例えば、酸化物半導体、単結晶シリコン、ポリシリコンまたはアモルファスシリコンなどを適用できる。
【０２６２】
なお、本実施の形態は、本明細書で示す他の実施の形態と適宜組み合わせることができる。
【０２６３】
（実施の形態６）
本実施の形態では、情報処理装置に適用することができる折り曲げ可能なタッチパネルの構成について、図１０及び図１１を参照しながら説明する。
【０２６４】
図１０（Ａ）は、本実施の形態で例示するタッチパネル５００の斜視図である。なお明瞭化のため、代表的な構成要素を図１０に示す。図１０（Ｂ）は、タッチパネル５００の斜視図である。
【０２６５】
図１１（Ａ）は、図１０（Ａ）に示すタッチパネル５００のＸ１−Ｘ２における断面図である。
【０２６６】
タッチパネル５００は、表示部５０１とタッチセンサ５９５を備える（図１０（Ｂ）参照）。また、タッチパネル５００は、基板５１０、基板５７０および基板５９０を有する。なお、基板５１０、基板５７０および基板５９０はいずれも可撓性を有する。
【０２６７】
表示部５０１は、基板５１０、基板５１０上に複数の画素および当該画素に信号を供給することができる複数の配線５１１を備える。複数の配線５１１は、基板５１０の外周部にまで引き回され、その一部が端子５１９を構成している。端子５１９はフレキシブル印刷回路５０９＿１と電気的に接続する。
【０２６８】
＜タッチセンサ＞
基板５９０には、タッチセンサ５９５と、タッチセンサ５９５と電気的に接続する複数の配線５９８を備える。複数の配線５９８は基板５９０の外周部に引き回され、その一部は端子を構成する。そして、当該端子はフレキシブル印刷回路５０９＿２と電気的に接続される。なお、図１０（Ｂ）では明瞭化のため、基板５９０の裏面側に設けられるタッチセンサ５９５の電極や配線等を実線で示している。
【０２６９】
タッチセンサ５９５として、例えば静電容量方式のタッチセンサを適用できる。静電容量方式としては、表面型静電容量方式、投影型静電容量方式等がある。
【０２７０】
投影型静電容量方式としては、主に駆動方式の違いから自己容量方式、相互容量方式などがある。相互容量方式を用いると同時多点検出が可能となるため好ましい。
【０２７１】
以下では、投影型静電容量方式のタッチセンサを適用する場合について、図１０（Ｂ）を用いて説明する。
【０２７２】
なお、指等の検知対象の近接または接触を検知することができるさまざまなセンサを適用することができる。
【０２７３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０２７４】
電極５９２は、図１０（Ａ）、図１０（Ｂ）に示すように、一方向に繰り返し配置された複数の四辺形が角部で接続された形状を有する。
【０２７５】
電極５９１は四辺形であり、電極５９２が延在する方向と交差する方向に繰り返し配置されている。
【０２７６】
配線５９４は、電極５９２を挟む二つの電極５９１を電気的に接続する。このとき、電極５９２と配線５９４の交差部の面積ができるだけ小さくなる形状が好ましい。これにより、電極が設けられていない領域の面積を低減でき、透過率のムラを低減できる。その結果、タッチセンサ５９５を透過する光の輝度ムラを低減することができる。
【０２７７】
なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、透過率の異なる領域の面積を低減できるため好ましい。
【０２７８】
タッチセンサ５９５の構成を、図１１（Ａ）を用いて説明する。
【０２７９】
タッチセンサ５９５は、基板５９０上に千鳥状に配置された電極５９１及び電極５９２、電極５９１及び電極５９２を覆う絶縁層５９３並びに隣り合う電極５９１を電気的に接続する配線５９４を備える。
【０２８０】
樹脂層５９７は、タッチセンサ５９５が表示部５０１に重なるように、基板５９０を基板５７０に貼り合わせている。
【０２８１】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０２８２】
透光性を有する導電性材料を基板５９０上にスパッタリング法により成膜した後、フォトリソグラフィ法等の様々なパターニング技術により、不要な部分を除去して、電極５９１及び電極５９２を形成することができる。
【０２８３】
また、絶縁層５９３に用いる材料としては、例えば、アクリル、エポキシなどの樹脂、シロキサン結合を有する樹脂の他、酸化シリコン、酸化窒化シリコン、酸化アルミニウムなどの無機絶縁材料を用いることもできる。
【０２８４】
また、電極５９１に達する開口が絶縁層５９３に設けられ、配線５９４が隣接する電極５９１を電気的に接続する。透光性の導電性材料は、タッチパネルの開口率を高まることができるため、配線５９４に好適に用いることができる。また、電極５９１及び電極５９２より導電性の高い材料は、電気抵抗を低減できるため配線５９４に好適に用いることができる。
【０２８５】
一の電極５９２は一方向に延在し、複数の電極５９２がストライプ状に設けられている。
【０２８６】
配線５９４は電極５９２と交差して設けられている。
【０２８７】
一対の電極５９１が一の電極５９２を挟んで設けられ、配線５９４は一対の電極５９１を電気的に接続している。
【０２８８】
なお、複数の電極５９１は、一の電極５９２と必ずしも直交する方向に配置される必要はなく、９０度未満の角度をなすように配置されてもよい。
【０２８９】
一の配線５９８は、電極５９１又は電極５９２と電気的に接続される。配線５９８の一部は、端子として機能する。配線５９８としては、例えば、アルミニウム、金、白金、銀、ニッケル、チタン、タングステン、クロム、モリブデン、鉄、コバルト、銅、又はパラジウム等の金属材料や、該金属材料を含む合金材料を用いることができる。
【０２９０】
なお、絶縁層５９３及び配線５９４を覆う絶縁層を設けて、タッチセンサ５９５を保護することができる。
【０２９１】
また、接続層５９９は、配線５９８とフレキシブル印刷回路５０９＿２を電気的に接続する。
【０２９２】
接続層５９９としては、様々な異方性導電フィルム（ＡＣＦ：Ａｎｉｓｏｔｒｏｐｉｃ＿Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２９３】
樹脂層５９７は、透光性を有する。例えば、熱硬化性樹脂や紫外線硬化樹脂を用いることができ、具体的には、アクリル、ウレタン、エポキシ、またはシロキサン結合を有する樹脂などの樹脂を用いることができる。
【０２９４】
＜表示部＞
表示部５０１は、マトリクス状に配置された複数の画素を備える。画素は表示素子と表示素子を駆動する画素回路を備える。
【０２９５】
本実施の形態では、白色の光を放射する有機エレクトロルミネッセンス素子を表示素子に適用する場合について説明するが、表示素子はこれに限られない。
【０２９６】
例えば、副画素毎に放射する光の色が異なるように、発光色が異なる有機エレクトロルミネッセンス素子を副画素毎に適用してもよい。
【０２９７】
また、有機エレクトロルミネッセンス素子の他、液晶素子など、様々な表示素子を表示素子に用いることができる。
【０２９８】
また、表示部において、画素に能動素子を有するアクティブマトリクス方式、または、画素に能動素子を有しないパッシブマトリクス方式を用いることが出来る。
【０２９９】
アクティブマトリクス方式では、能動素子（アクティブ素子、非線形素子）として、トランジスタだけでなく、さまざまな能動素子（アクティブ素子、非線形素子）を用いることが出来る。例えば、ＭＩＭ（Ｍｅｔａｌ  Ｉｎｓｕｌａｔｏｒ  Ｍｅｔａｌ）、又はＴＦＤ（Ｔｈｉｎ  Ｆｉｌｍ  Ｄｉｏｄｅ）などを用いることも可能である。これらの素子は、製造工程が少ないため、製造コストの低減、又は歩留まりの向上を図ることができる。または、これらの素子は、素子のサイズが小さいため、開口率を向上させることができ、低消費電力化や高輝度化をはかることが出来る。
【０３００】
アクティブマトリクス方式以外のものとして、能動素子（アクティブ素子、非線形素子）を用いないパッシブマトリクス型を用いることも可能である。能動素子（アクティブ素子、非線形素子）を用いないため、製造工程が少ないため、製造コストの低減、又は歩留まりの向上を図ることができる。または、能動素子（アクティブ素子、非線形素子）を用いないため、開口率を向上させることができ、低消費電力化、又は高輝度化などを図ることが出来る。
【０３０１】
可撓性を有する材料を基板５１０および基板５７０に好適に用いることができる。
【０３０２】
不純物の透過が抑制された材料を基板５１０および基板５７０に用いることができる。例えば、水蒸気の透過率が１０−５ｇ／ｍ２・ｄａｙ以下、好ましくは１０−６ｇ／ｍ２・ｄａｙ以下である材料を好適に用いることができる。
【０３０３】
線膨張率がおよそ等しい材料を基板５１０および基板５７０に好適に用いることができる。例えば、線膨張率が１×１０−３／Ｋ以下、好ましくは５×１０−５／Ｋ以下、より好ましくは１×１０−５／Ｋ以下である材料を好適に用いることができる。
【０３０４】
基板５１０は、可撓性を有する基板５１０ｂ、不純物の発光素子への拡散を防ぐバリア膜５１０ａおよび基板５１０ｂとバリア膜５１０ａを貼り合わせる樹脂層５１０ｃが積層された積層体である。
【０３０５】
例えば、ポリエステル、ポリオレフィン、ポリアミド（ナイロン、アラミド等）、ポリイミド、ポリカーボネートまたはアクリル、ウレタン、エポキシもしくはシロキサン結合を有する樹脂含む材料を樹脂層５１０ｃに用いることができる。
【０３０６】
基板５７０は、可撓性を有する基板５７０ｂ、不純物の発光素子への拡散を防ぐバリア膜５７０ａおよび基板５７０ｂとバリア膜５７０ａを貼り合わせる樹脂層５７０ｃの積層体である。
【０３０７】
封止材５６０は基板５７０と基板５１０を貼り合わせている。封止材５６０は空気より大きい屈折率を備える。また、封止材５６０側に光を取り出す場合は、封止材５６０は光学接合が実現される。画素回路および発光素子（例えば第１の発光素子５５０Ｒ）は基板５１０と基板５７０の間にある。
【０３０８】
［画素の構成］
画素は、副画素５０２Ｒを含み、副画素５０２Ｒは発光モジュール５８０Ｒを備える。
【０３０９】
副画素５０２Ｒは、第１の発光素子５５０Ｒおよび第１の発光素子５５０Ｒに電力を供給することができるトランジスタ５０２ｔを含む画素回路を備える。また、発光モジュール５８０Ｒは第１の発光素子５５０Ｒおよび光学素子（例えば着色層５６７Ｒ）を備える。
【０３１０】
発光素子５５０Ｒは、下部電極、上部電極、下部電極と上部電極の間に発光性の有機化合物を含む層を有する。
【０３１１】
発光モジュール５８０Ｒは、光を取り出す方向に第１の着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０３１２】
また、封止材５６０が光を取り出す側に設けられている場合、封止材５６０は、第１の発光素子５５０Ｒと第１の着色層５６７Ｒに接する。
【０３１３】
第１の着色層５６７Ｒは第１の発光素子５５０Ｒと重なる位置にある。これにより、発光素子５５０Ｒが発する光の一部は第１の着色層５６７Ｒを透過して、図中に示す矢印の方向の発光モジュール５８０Ｒの外部に放射される。
【０３１４】
［表示部の構成］
表示部５０１は、光を放射する方向に遮光層５６７ＢＭを有する。遮光層５６７ＢＭは、着色層（例えば第１の着色層５６７Ｒ）を囲むように設けられている。なお、表示部の透光性を高めるためには遮光層５６７ＢＭを設けないとよい。
【０３１５】
表示部５０１は、反射防止層５６７ｐを画素に重なる位置に備える。反射防止層５６７ｐとして、例えば円偏光板を用いることができる。
【０３１６】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物の拡散を抑制できる層を含む積層膜を、絶縁膜５２１に適用することができる。これにより、不純物の拡散によるトランジスタ５０２ｔ等の信頼性の低下を抑制できる。
【０３１７】
表示部５０１は、発光素子（例えば第１の発光素子５５０Ｒ）を絶縁膜５２１上に有する。
【０３１８】
表示部５０１は、下部電極の端部に重なる隔壁５２８を絶縁膜５２１上に有する。また、基板５１０と基板５７０の間隔を制御するスペーサを、隔壁５２８上に有する。
【０３１９】
［走査線駆動回路の構成］
走査線駆動回路５０３ｇ＿１は、トランジスタ５０３ｔおよび容量５０３ｃを含む。なお、駆動回路を画素回路と同一の工程で同一基板上に形成することができる。
【０３２０】
［他の構成］
表示部５０１は、信号を供給することができる配線５１１を備え、端子５１９が配線５１１に設けられている。なお、画像信号および同期信号等の信号を供給することができるフレキシブル印刷回路５０９＿１が端子５１９に電気的に接続されている。
【０３２１】
なお、フレキシブル印刷回路５０９＿１にはプリント配線基板（ＰＷＢ）が取り付けられていても良い。
【０３２２】
表示部５０１は、走査線、信号線および電源線等の配線を有する。様々な導電膜を配線に用いることができる。
【０３２３】
具体的には、アルミニウム、クロム、銅、タンタル、チタン、モリブデン、タングステン、ニッケル、イットリウム、ジルコニウム、銀またはマンガンから選ばれた金属元素、上述した金属元素を成分とする合金または上述した金属元素を組み合わせた合金等を用いることができる。とくに、アルミニウム、クロム、銅、タンタル、チタン、モリブデン、タングステンの中から選択される一以上の元素を含むと好ましい。特に、銅とマンガンの合金がウエットエッチング法を用いた微細加工に好適である。
【０３２４】
具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を用いることができる。
【０３２５】
具体的には、アルミニウムを含む膜上にチタン、タンタル、タングステン、モリブデン、クロム、ネオジム、スカンジウムから選ばれた元素を含む膜を積層した積層膜を用いてもよい。また、アルミニウムを含む膜上にチタン、タンタル、タングステン、モリブデン、クロム、ネオジム、スカンジウムから選ばれた元素を複数組み合わせた合金膜を積層した積層膜を用いることができる。また、アルミニウムを含む膜上にチタン、タンタル、タングステン、モリブデン、クロム、ネオジム、スカンジウムから選ばれた元素を含む窒化膜を積層した積層膜を用いてもよい。
【０３２６】
また、酸化インジウム、酸化錫または酸化亜鉛を含む透光性を有する導電材料を用いてもよい。
【０３２７】
＜表示部の変形例１＞
様々なトランジスタを表示部５０１に適用できる。
【０３２８】
ボトムゲート型のトランジスタを表示部５０１に適用する場合の構成を、図１１（Ａ）および図１１（Ｂ）に図示する。
【０３２９】
例えば、酸化物半導体、アモルファスシリコン等を含む半導体層を、図１１（Ａ）に図示するトランジスタ５０２ｔおよびトランジスタ５０３ｔに適用することができる。
【０３３０】
例えば、少なくともインジウム（Ｉｎ）、亜鉛（Ｚｎ）及びＭ（Ａｌ、Ｇａ、Ｇｅ、Ｙ、Ｚｒ、Ｓｎ、Ｌａ、ＣｅまたはＨｆ等の金属）を含むＩｎ−Ｍ−Ｚｎ酸化物で表記される膜を含むことが好ましい。または、ＩｎとＺｎの双方を含むことが好ましい。
【０３３１】
スタビライザーとしては、ガリウム（Ｇａ）、スズ（Ｓｎ）、ハフニウム（Ｈｆ）、アルミニウム（Ａｌ）、またはジルコニウム（Ｚｒ）等がある。また、他のスタビライザーとしては、ランタノイドである、ランタン（Ｌａ）、セリウム（Ｃｅ）、プラセオジム（Ｐｒ）、ネオジム（Ｎｄ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）等がある。
【０３３２】
酸化物半導体膜を構成する酸化物半導体として、例えば、Ｉｎ−Ｇａ−Ｚｎ系酸化物、Ｉｎ−Ａｌ−Ｚｎ系酸化物、Ｉｎ−Ｓｎ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇａ系酸化物を用いることができる。
【０３３３】
なお、ここで、Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
【０３３４】
例えば、レーザーアニールなどの処理により結晶化させた多結晶シリコンを含む半導体層を、図１１（Ｂ）に図示するトランジスタ５０２ｔおよびトランジスタ５０３ｔに適用することができる。
【０３３５】
トップゲート型のトランジスタを表示部５０１に適用する場合の構成を、図１１（Ｃ）に図示する。
【０３３６】
例えば、多結晶シリコンまたは単結晶シリコン基板等から転置された単結晶シリコン膜等を含む半導体層を、図１１（Ｃ）に図示するトランジスタ５０２ｔおよびトランジスタ５０３ｔに適用することができる。
【０３３７】
なお、本実施の形態は、本明細書で示す他の実施の形態と適宜組み合わせることができる。
【０３３８】
（実施の形態７）
本実施の形態では、情報処理装置に適用することができる折り曲げ可能なタッチパネルの構成について、図１２を参照しながら説明する。
【０３３９】
図１２は、タッチパネル５００Ｂ断面図である。
【０３４０】
本実施の形態で説明するタッチパネル５００Ｂは、供給された画像情報を元にトランジスタが設けられている側に画像を表示する表示部５０１を備える点およびタッチセンサが表示部の基板５１０側に設けられている点が、実施の形態６で説明するタッチパネル５００とは異なる。ここでは異なる構成について詳細に説明し、同様の構成を用いることができる部分は、上記の説明を援用する。
【０３４１】
＜表示部＞
表示部５０１は、マトリクス状に配置された複数の画素を備える。画素は表示素子と表示素子を駆動する画素回路を備える。
【０３４２】
［画素の構成］
画素は、副画素５０２Ｒを含み、副画素５０２Ｒは発光モジュール５８０Ｒを備える。
【０３４３】
副画素５０２Ｒは、第１の発光素子５５０Ｒおよび第１の発光素子５５０Ｒに電力を供給することができるトランジスタ５０２ｔを含む画素回路を備える。
【０３４４】
発光モジュール５８０Ｒは第１の発光素子５５０Ｒおよび光学素子（例えば着色層５６７Ｒ）を備える。
【０３４５】
発光素子５５０Ｒは、下部電極、上部電極、下部電極と上部電極の間に発光性の有機化合物を含む層を有する。
【０３４６】
発光モジュール５８０Ｒは、光を取り出す方向に第１の着色層５６７Ｒを有する。着色層は特定の波長を有する光を透過するものであればよく、例えば赤色、緑色または青色等を呈する光を選択的に透過するものを用いることができる。なお、他の副画素において、発光素子の発する光をそのまま透過する領域を設けてもよい。
【０３４７】
第１の着色層５６７Ｒは第１の発光素子５５０Ｒと重なる位置にある。また、図１２（Ａ）に示す発光素子５５０Ｒは、トランジスタ５０２ｔが設けられている側に光を放射する。これにより、発光素子５５０Ｒが発する光の一部は第１の着色層５６７Ｒを透過して、図中に示す矢印の方向の発光モジュール５８０Ｒの外部に放射される。なお、光を放射する方向は一方向に限らず、両方向でもよい。
【０３４８】
［表示部の構成］
表示部５０１は、光を放射する方向に遮光層５６７ＢＭを有する。遮光層５６７ＢＭは、着色層（例えば第１の着色層５６７Ｒ）を囲むように設けられている。なお、表示部の透光性を高めるためには５６７ＢＭを設けないとよい。
【０３４９】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物の拡散を抑制できる層を含む積層膜を、絶縁膜５２１に適用することができる。これにより、例えば着色層５６７Ｒから拡散する不純物によるトランジスタ５０２ｔ等の信頼性の低下を抑制できる。
【０３５０】
＜タッチセンサ＞
タッチセンサ５９５は、表示部５０１の基板５１０側に設けられている（図１２（Ａ）参照）。
【０３５１】
樹脂層５９７は、基板５１０と基板５９０の間にあり、表示部５０１とタッチセンサ５９５を貼り合わせる。
【０３５２】
＜表示部の変形例１＞
様々なトランジスタを表示部５０１に適用できる。
【０３５３】
ボトムゲート型のトランジスタを表示部５０１に適用する場合の構成を、図１２（Ａ）および図１２（Ｂ）に図示する。
【０３５４】
例えば、酸化物半導体、アモルファスシリコン等を含む半導体層を、図１２（Ａ）に図示するトランジスタ５０２ｔおよびトランジスタ５０３ｔに適用することができる。また、一対のゲート電極をトランジスタのチャネルが形成される領域を上下に挟むように設けてもよい。これにより、トランジスタの特性の変動を抑制し、信頼性を高めることができる。
【０３５５】
例えば、多結晶シリコン等を含む半導体層を、図１２（Ｂ）に図示するトランジスタ５０２ｔおよびトランジスタ５０３ｔに適用することができる。
【０３５６】
トップゲート型のトランジスタを表示部５０１に適用する場合の構成を、図１２（Ｃ）に図示する。
【０３５７】
例えば、多結晶シリコンまたは転写された単結晶シリコン膜等を含む半導体層を、図１２（Ｃ）に図示するトランジスタ５０２ｔおよびトランジスタ５０３ｔに適用することができる。
【０３５８】
なお、本実施の形態は、本明細書で示す他の実施の形態と適宜組み合わせることができる。
【０３５９】
（実施の形態８）
本実施の形態では、情報処理装置の構成について、図１３および図１４を参照しながら説明する。
【０３６０】
図１３は情報処理装置の表示部が展開された状態を説明する６面図である。
【０３６１】
図１４は情報処理装置の表示部が折り畳まれた状態を説明する図であり、図１４（Ａ）は６面図、図１４（Ｂ）は切断線Ａ−Ａ’における断面図である。
【０３６２】
＜情報処理装置の構成例＞
情報処理装置１００Ｂは、第１の領域１３１＿１１、第１の屈曲できる領域１３１＿２１、第２の領域１３１＿１２、第２の屈曲できる領域１３１＿２２、第３の領域１３１＿１３および第３の屈曲できる領域１３１＿２３がこの順で配置され、第１の屈曲できる領域１３１＿２１に形成される第１の畳み目および第２の屈曲できる領域１３１＿２２に形成される第２の畳み目で折り畳まれた状態および展開された状態にすることができる表示部１３０を有する（図１３および図１４参照）。
【０３６３】
そして、第１の領域１３１＿１１の短辺の長さの長辺の長さに対する比の値は、表示領域１３１の短辺の長さの長辺の長さに対する比の値の０．９倍以上１．１倍以下であり、且つ第１の領域の短辺の長さ：長辺の長さはおよそ９：１６である。
【０３６４】
本実施の形態で説明する情報処理装置１００Ｂは、第１の領域１３１＿１１、第１の屈曲できる領域１３１＿２１および第２の領域１３１＿１２が配置され、第１の屈曲できる領域１３１＿２１で第１の領域１３１＿１１の短辺の長さの長辺の長さに対する比の値（９／１６）が、表示領域１３１の短辺の長さの長辺の長さに対する比の値（９／１６）の０．９倍以上１．１倍以下になるように折り畳むことができる表示部１３０を含んで構成される。
【０３６５】
これにより、折り畳まれた状態の表示領域１３１の第１の領域１３１＿１１に表示する画像と、縦の長さの横の長さに対する比の値がおよそ同じである画像を、展開された状態の表示領域１３１に表示することができる。その結果、利便性または信頼性に優れた新規な表示パネルを提供することができる。
【０３６６】
また、情報処理装置１００Ｂは、電源電位を供給され画像情報を供給する演算装置１１０、電源電位を供給するバッテリー１１０Ｂ並びに演算装置１１０およびバッテリー１１０Ｂを収納する筐体１０１を有する（図１４（Ｂ）参照）。
【０３６７】
表示部１３０は画像情報および電源電位を供給され、画像情報に応じた表示をおこなう。
【０３６８】
第３の屈曲できる領域１３１＿２３は、筐体１０１の側面に沿って屈曲するように設けられ、情報処理装置１００Ｂの側面および背面に画像情報に応じた表示をおこなうことができる（図１４（Ａ）参照）。
【０３６９】
表示部１３０は、表示領域１３１の外側に額縁１３０Ｆを有していてもよい。額縁１３０Ｆは表示素子が配置されていなくてもよいし、ブランクの画像信号が供給されてもよい。
【０３７０】
また、表示部１３０にタッチセンサを重ねて設けることができる。タッチセンサが重ねて設けられた表示部はタッチパネルということができる。
【０３７１】
タッチパネルは位置情報を供給することができ、演算装置は位置情報を供給される。
【０３７２】
なお、本実施の形態は、本明細書で示す他の実施の形態と適宜組み合わせることができる。
【符号の説明】
【０３７３】
１００    情報処理装置
１００Ｂ    情報処理装置
１０１    筐体
１０１＿１    筐体
１０１＿２    筐体
１０１＿３    筐体
１０２＿１    ヒンジ
１０２＿２    ヒンジ
１１０    演算装置
１１０Ａ    アンテナ
１１０Ｂ    バッテリー
１１１    演算部
１１２    記憶部
１１４    伝送路
１１５    入出力インターフェース
１２０    入出力装置
１３０    表示部
１３０Ｆ    額縁
１３０Ｐ    表示パネル
１３０ＰＢ    表示パネル
１３１    表示領域
１３１＿１１    第１の領域
１３１＿１２    第２の領域
１３１＿１３    第３の領域
１３１＿２１    第１の屈曲できる領域
１３１＿２２    第２の屈曲できる領域
１３１＿２３    第３の屈曲できる領域
１３３Ｇ＿Ｌ    第１の走査線駆動回路
１３３Ｇ＿Ｒ    第２の走査線駆動回路
１３３Ｓ＿Ｌ    第１の信号線駆動回路
１３３Ｓ＿Ｒ    第２の信号線駆動回路
１３９    フレキシブルプリント基板ＦＰＣ
１４０    位置情報入力部
１４０＿１１    位置情報入力部
１４０＿１２    位置情報入力部
１４０＿１３    位置情報入力部
１４０＿２１    位置情報入力部
１４０＿２２    位置情報入力部
１４５    入出力部
１４５＿１    釦
１５０＿１    検知回路
１５０＿２    検知回路
１５０＿３    検知回路
１５０    検知部
１６０    通信部
３００    タッチパネル
３０１    表示部
３０２    画素
３０２Ｂ    副画素
３０２Ｇ    副画素
３０２Ｒ    副画素
３０２ｔ    トランジスタ
３０３ｃ    容量
３０３ｇ＿１    走査線駆動回路
３０３ｇ＿２    撮像画素駆動回路
３０３ｓ＿１    画像信号線駆動回路
３０３ｓ＿２    撮像信号線駆動回路
３０３ｔ    トランジスタ
３０８    撮像画素
３０８ｐ    光電変換素子
３０８ｔ    トランジスタ
３０９＿１    フレキシブル印刷回路
３１０    基板
３１０ａ    バリア膜
３１０ｂ    基板
３１０ｃ    樹脂層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基材
３７０ｃ    樹脂層
３８０Ｂ    発光モジュール
３８０Ｇ    発光モジュール
３８０Ｒ    発光モジュール
５００    タッチパネル
５００Ｂ    タッチパネル
５０１    表示部
５０２Ｒ    副画素
５０２ｔ    トランジスタ
５０３ｃ    容量
５０３ｇ＿１    走査線駆動回路
５０３ｔ    トランジスタ
５０９＿１    フレキシブル印刷回路
５０９＿２    フレキシブル印刷回路
５１０    基板
５１０ａ    バリア膜
５１０ｂ    基板
５１０ｃ    樹脂層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    樹脂層
５８０Ｒ    発光モジュール
５９０    基板
５９１    電極
５９２    電極
５９３    絶縁層
５９４    配線
５９５    タッチセンサ
５９７    樹脂層
５９８    配線
５９９    接続層
【図１】
2015187724.tif 000003
【図２】
2015187724.tif 000004
【図３】
2015187724.tif 000005
【図４】
2015187724.tif 000006
【図５】
2015187724.tif 000007
【図６】
2015187724.tif 000008
【図７】
2015187724.tif 000009
【図８】
2015187724.tif 000010
【図９】
2015187724.tif 000011
【図１０】
2015187724.tif 000012
【図１１】
2015187724.tif 000013
【図１２】
2015187724.tif 000014
【図１３】
2015187724.tif 000015
【図１４】
2015187724.tif 000016